(57)【要約】      （修正有）【課題】粘着シートを引出して更新することで連続使用でき、また室内の壁面立ち上がり近傍の床面ゴミを粘着除去する粘着ローラクリーナを得ること。【解決手段】クリーニングローラ体２内に粘着ロール体５を回動可能に設け、該クリーニングローラ体２周面に設けられた繰出し口１２から粘着ロール体５より引き出された引出粘着シート６をクリーニングローラ体２周面に周回させて保持部本体７の保持部で保持装着すると共に該保持部に切断刃を設けて該シート６を切断可能とし、またクリーニングローラ体２の外周面には緩衝凸部を多数突出形成して該周面の引出粘着シート６でゴミを粘着除去し、またクリーニングローラ体２周面の該引出粘着シート６を角取り支持部材を介して該周面より突出させて、壁面立ち上がり角部近傍の床面ゴミを粘着除去する。【選択図】図１
2015000187.tif 000002
【特許請求の範囲】
【請求項１】
左右に側板を有する筒状のクリーニングローラ体の軸心を、ハンドルに設けられた支軸で回動自在に枢着した粘着ローラクリーナにおいて、粘着シートを巻回した粘着ロール体を該クリーニングローラ体の側板間で回動可能に内設枢着すると共に該粘着ロール体から該粘着シートをクリーニングローラ体周面に引き出せるように、該クリーニングローラ体周面に粘着シートの繰出し口を該粘着シート巾で開設し、該繰出し口より該粘着シートを引出粘着シートとして引き出すと共にクリーニングローラ体周面に粘着部を外側にして周回付装して該引出粘着シートを保持部材で保持させたことを特徴とする粘着ローラクリーナ。
【請求項２】
前記クリーニングローラ体周面が、引出粘着シートとクリーニングローラ体周面との間に緩衝部が形成できるように、該クリーニングローラ体周面上に緩衝凸部を所定間隔で突出形成したとする請求項１記載の粘着ローラクリーナ。
【請求項３】
前記保持部材が、前記クリーニングローラ体周面に巻回付装する引出粘着シートが緩まないように、繰出し口近傍で引出粘着シートの基端及び先端部を保持部材で保持させた請求項１又は請求項２記載の粘着ローラクリーナ。
【請求項４】
前記保持部材が、該引出粘着シートの先端側に位置する保持部材の端部に該引出粘着シートを切断する切断刃を設けたとする請求項１乃至請求項３の何れか一項記載の粘着ローラクリーナ。
【請求項５】
繰出し口からクリーニングローラ体周面の所定位置まで粘着シート巾と略同幅の要部を角取り支持部材とし、クリーニングローラ体周面に巻回付装した該引出粘着シートを、該クリーニングローラ体周面より該角取り支持部材を介して突出できるように、該角取り支持部材を、支軸を介して回動させて該突出可能に設けたとする請求項１乃至請求項４の何れか一項記載の粘着ローラクリーナ。
【発明の詳細な説明】
【技術分野】
【０００１】
本発明は、粘着シートが巻かれた粘着ロールの該粘着シートでゴミを粘着除去する粘着ローラクリーナに関する。
【背景技術】
【０００２】
従来、市販される粘着ローラは、粘着シートが巻かれた該粘着ロールにハンドル等を設け、該ハンドルにてクリーニング対象物の上を回動させて、該粘着ロールの粘着シートにゴミを粘着させてゴミを粘着除去し、該粘着シートが汚れて粘着性が落ちると、該粘着シートを破り取り使用する粘着ローラクリーナが、最も多く汎用されている。
【０００３】
また、他の粘着ローラとして、洗浄して何度も使い回しできる粘着部材をローラ周面に形成させた粘着ローラタイプの粘着クリーナが一般市販されている。
【０００４】
さらに、粘着ローラクリーナの先行技術における先願特許として、「粘着カーペットクリーナ」が開示されており、該粘着カーペットクリーナは、二つの対向する側板１の間に固定支持された二本の平行な軸４,５ と、これらの軸にそれぞれ回転可能に支持された複数の支持ローラ６,７;６′,７′とを備え、一方の支持ローラには、巻芯９に巻いてある粘着テープ巻回体１０aを装着し、且つ他方の支持ローラには空の巻芯を装着し、また各固定軸と支持ローラの間に配置され、粘着テープに張力を加えるためのブレーキユニット２０を有することが記載されている。（例えば、特許文献１参照）
【０００５】
また、本願、出願人が先行出願した「粘着ローラクリーナ」があり、該粘着ローラクリーナは、粘着シートが巻回された粘着ロール体と、該粘着ロール体から引き出された引出粘着シートを巻き取りする巻取り軸を回動自在に該クリーニングローラ体内に枢着し、該引出粘着シートをクリーニングローラ体より周面に引き出すと共に周回させて、再び該ローラ体内に挿入できるように、クリーニングローラ体周面に粘着シートの繰出し口と巻取り口を該粘着シート巾に開設することが記載されている。（例えば、特許文献２参照）
【先行技術文献】
【特許文献】
【０００６】
【特許文献１】特開平７−３２７９１２号公報
【特許文献２】特願２０１３−０９４８９３号公報
【発明の概要】
【発明が解決しようとする課題】
【０００７】
上述した従来の市販される粘着ロールは、粘着シートを巻回したもので、該粘着ロールをゴミ取り粘着ローラとして絨毯などのゴミを粘着除去し、該粘着ローラ周面にゴミが粘着して粘着能力が無くなると、その一周分の粘着シートを破り捨てて新しい粘着面を出し、または粘着シートでない洗浄して何度も使い回せるタイプの粘着ローラは、その周面を洗浄する必要があった。
【０００８】
特に、粘着シートを適宜破り捨てるタイプの粘着ローラクリーナとして販売されるものは、該粘着ローラ周面に汚れが付着すると、その巻き初めが分かりづらく、捲り取るのに手間取り、その改善も求められていた。
【０００９】
そして、該粘着シートを破り取るとき、粘着ローラ周面に長い髪の毛などが粘着巻き取られていると、その粘着ローラ周面を髪の毛が周回するので、粘着シート捲り取るとき、その巻回した長いゴミが切れないことがあることから粘着シートを破取るのに手間取り（ミシン目を付加して破り取りしやすいようにした物もあるが、切れづらい長いゴミがあると破りにくい）、またそのとき粘着シートの新しい粘着面にまで破れが及ぶことがあり無駄となっており、その改善が求められていた。
【００１０】
また、市販される粘着ロールの直径に関して、粘着シートを軸に巻き取って所定径の粘着ロールとし、その軸径と粘着ロールの直径（粘着シートの巻数）との関係は、該直径と粘着除去するそのゴミ取り面積とが比例し、その直径が小さいと面積も狭く、該面積が狭いとゴミで直ぐに粘着力が落ちることから、一定以上の直径がないと絶えず該シートの更新をする必要があり使用が煩雑となり、よって広い場所を粘着クリーニングするのは不向きで、またクッションなど狭く部分的な場所は小径のものが使いやすく、該直径と粘着面積が使用において重要となるが従来のものはそれに対応せず、その対応が待たれていた。
【００１１】
さらに、粘着ロールの外径と軸径に関しても、上記粘着面積を広くするため該粘着シートを多く巻いてその外径を大きくしても軸径が細いと、粘着シートを使用して徐々に細い軸径に近づき、上記粘着面積が徐々に狭くなり、そのことから現状では、粘着ロールの直径が約５０ミリで、軸径では約４０ミリ前後の外径と軸径の差を小さくしたものが提供され、そのことから該粘着シートを多く巻いて大量使用の粘着ロールでは、上述のように粘着クリーニングする対象物の広さに対応できなかった。
【００１２】
またさらに、従来の粘着シートを軸径に巻いた粘着ロールを粘着クリーナとするものは、使用して該粘着ロールの外径が小さく変化するため、該粘着ロールの粘着面積（外径の大きさ）と、該粘着面の交換頻度を考慮してその直径を設定しており、使用してもクリーニング面の外径（粘着面積）が小さく変化しない構成のものが求められていた。
【００１３】
加えて、上記粘着ロールの直径と粘着クリーニングする対象物の関係において、その粘着クリーニングする場所の広さに応じてその直径の効率が決まり、つまり、従来では一般床面など広い場所またはクッションなど狭く部分的な場所も、粘着ローラの径は変えず同様のものを使用しており、そのことから粘着クリーニングする場所に対する効率の良い直径で、しかもその粘着ローラの径変化（粘着面積）のないものが理想的で、それが待たれていた。
【００１４】
つまり、粘着ゴミ取りするときの粘着ロールの直径に関して、上述した広い部分を粘着ゴミ取りするときは直径が大きいものが効率的で、直径の小さいものは小物に使用するのが使いやすく、その大径を必要とするとき、軸心を大きくするか、又は小さな軸芯に多く巻き取るかであり、小さな軸芯では上述した課題があり、そしてまた、消費財である粘着ロールは、その対象物に合わせ径を変えるのは軸径を変えての外径変更となり、その求める直径に合わせて適宜、軸径を変更して製作する多品種の製作にはコスト高となりその解決が待たれていた。
【００１５】
さらに加えて、室内など壁面立ち上がりの角部近傍の床面ゴミを粘着除去するとき、粘着ロールの径には粘着の死角部分が存在するため、その死角部分に当たる該角部近傍の床面ゴミは、該粘着ロールでは粘着除去できず、その解決が望まれていた。
【００１６】
しかして、先行技術として特許文献１の「粘着カーペットクリーナ」は、前進させると支持ローラ６、７側の粘着テープ巻回体１０ａがカーペットに圧接されると共に時計方向に回動して、反対側の支持ローラ６′、７′上の粘着テープ巻回体１０ｂが持ち上がり、後退させると粘着テープ巻回体１０ａに再び粘着テープ１０が巻き取られると共に、反対側の粘着テープ巻回体１０ｂから粘着テープ１０が繰り出され、Ｂ方向への後退行程中、ブレーキユニットの作用が、支持ローラ６、７側で粘着テープ１０に後方へ張力が生じ、粘着テープのたるみを防止するとしている。
【００１７】
そして、上記前後連動により粘着テープ巻回体１０ａから粘着テープ１０を繰り出し、巻き取りすることにおいて、粘着テープ１０を剥がし取るように繰り出すとき、その粘着テープ巻回体１０ａに巻かれた粘着テープ１０の粘着力そのものが、剥がし取る大きな力を要し、そのことは強く張り付く板の間のように粘着力が出る場合は、その強く張り付く力で繰り出せ、よって繰り出しながらゴミ取りはできるが、逆に、絨毯のように張り付く力が弱いと、上記剥がし取る力に対して張り付く力が弱いことから粘着テープ１０が繰り出せず、結果、粘着テープ巻回体１０ａが回転しないのでゴミ取り効果が出ない欠点であった。
【００１８】
また、その前後連動により粘着ゴミ取りは、移動粘着させた粘着テープ１０の使用開始位置とその終わりの位置が不明確となり、その境目近傍では、汚れ状況がまばらとなることからゴミの粘着も一定せず、よって粘着テープ１０の無駄となる部分が発生する。
【００１９】
しかして、先行技術として特許文献２の「粘着ローラクリーナ」は、粘着シートが巻回された粘着ロール体と、該粘着ロール体から引き出された引出粘着シートを巻き取りする巻取り軸を回動自在に該クリーニングローラ体内に枢着しているので、該クリーニングローラ体内のその二軸により、該粘着ロール体の直径の二倍以上の直径でクリーニングローラ体を形成する必要があり、小物対応する小径の粘着ローラクリーナの製作ができなかった。
【００２０】
また、粘着シートが巻かれた粘着ロールに直接ゴミを粘着させて粘着除去する従来市販される粘着ローラと比較して、該クリーニングローラ体と粘着ロール体と巻取り軸のその二軸構成を持って、より簡易な構成とその反映されるコストダウンの要求が有り、そして使用法に於ける従来製品の延長線上で、且つ使い勝手の良いものが求められていた。
【００２１】
そこで、本願の目的とするところは、上述したように最も多く汎用されている一般市販品の粘着ローラクリーナが多くの課題を持つにも拘わらず、汎用として多用されていることは、その使い勝手の良さの証しであり、そこでその従来の課題と使い勝手の良さに鑑み、その長く支持される従来品と同様に、粘着シートが付装されたローラの回転で粘着クリーニングする使い勝手の良さで使用すると共に汚れた粘着シートの除去が容易で、簡易な構成の粘着ローラクリーナの提供を目的としたものである。
【課題を解決するための手段】
【００２２】
本発明は、上記課題を有効に達成するために、第１の解決手段として、粘着シートが巻回された粘着ロール体をクリーニングローラ体の該側板間で回動自在に枢着し、該クリーニングローラ体周面に粘着シートの繰出し口を該粘着シート巾に開設して該繰出し口より、粘着シートを引出粘着シートとして引き出して、クリーニングローラ体周面に周回付装すると共に該引出粘着シートを保持部材で保持させたことで、
クリーニングローラ体周面に粘着面を外側に粘着シートが緩まないように張力を持って保持させ、その状態で該クリーニングローラ体を前後に転がすように回動移動させて、クリーニングローラ体周面の粘着シートでゴミを粘着除去する事としている。
【００２３】
また、第２の解決手段は、クリーニングローラ体周面上に緩衝凸部を所定間隔で突出形成したことで、
クリーニングローラ体周面と引出粘着シートとの間の緩衝部にて、フローリングなどの表面ゴミによるクリーニングローラ体の浮き上がりを解消させて、引出粘着シートの粘着面とクリーニング対象物を密着させる事としている。
【００２４】
また、第３の解決手段は、前記クリーニングローラ体周面に巻回付装する引出粘着シートが緩まないように、繰出し口近傍で引出粘着シートの基端及び先端部を保持部材で保持させたことで、
該クリーニングローラ体周面に巻回付装して保持される引出粘着シートが緩まないようにする事としている。
【００２５】
また、第４の解決手段は、該引出粘着シートの先端側に位置する保持部材の端部に該引出粘着シートを切断する切断刃を設けたことで、
該クリーニングローラ体を前後に転がすように回動移動させてゴミを粘着除去して該粘着面が汚れたとき、該汚れた引出粘着シートを引き出すと共に該切断刃で切り取る事としている。
【００２６】
また、第５の解決手段は、繰出し口からクリーニングローラ体周面の所定位置まで粘着シート巾と略同幅の要部を角取り支持部材とし、該角取り支持部材を支軸により回動させて引出粘着シートを介して該突出可能に設けたことで、
クリーニングローラ体周面より角取り支持部材で引出粘着シートを突出させて、室内など壁面立ち上がりの角部近傍の床ゴミを容易に粘着除去する事としている。
【発明の効果】
【００２７】
本発明は、上述したそれぞれの手段によって有効な効果が得られるようにしたもので、特に、第１の解決手段の、左右に側板を有する筒状のクリーニングローラ体の軸心を、ハンドルに設けられた支軸で回動自在に枢着した粘着ローラクリーナにおいて、粘着シートを巻回した粘着ロール体を該クリーニングローラ体の側板間で回動可能に内設枢着すると共に該粘着ロール体から該粘着シートをクリーニングローラ体周面に引き出せるように、該クリーニングローラ体周面に粘着シートの繰出し口を該粘着シート巾で開設し、該繰出し口より該粘着シートを引出粘着シートとして引き出すと共にクリーニングローラ体周面に粘着部を外側にして周回付装して該引出粘着シートを保持部材で保持させたことにより、
該引出粘着シートが付装されたクリーニングローラ体を、床面又はソファーなどクリーニング対象物に回動接触させることで、該引出粘着シートの粘着部でゴミなどを粘着させ、該粘着部が汚れたとき、保持部材での引出粘着シートの保持を解除すると共に繰出し口から新しい粘着シートをクリーニングローラ体周面に引き出して更新することで、連続して無駄なく粘着シートが使用でき、また素早く更新できるので掃除が捗る。
【００２８】
また、従来のように粘着ロールそのものを直接クリーナとして使用せず、クリーニングローラ体を介して粘着クリーニングするので、粘着シートを使って該シートが少なくなっても該ローラの径変化は起きず、よって床面など広い場所、またはクッションなど狭く部分的な所に応じ、一種類の粘着ロール径を使用すると共に該クリーニングローラ体の直径を選定することで、絨毯等床面の広い対象物をクリーニングする場合は、大径のクリーニングローラ体を使用することで粘着面積も広くなり、その分引出粘着シートが長く使用でき、その更新回数も少なく、よって効率よく粘着クリーニングできる。
【００２９】
また、クッション、ソファーなど狭く小物の粘着クリーニングは、小径のクリーニングローラ体を使用することで、手元で簡易に使用でき、その素材性質と対象物に合わせ効率よく粘着クリーニングでき、クリーニングローラ体の直径と、粘着クリーニングする対象物に関して効率的なクリーニングができる。
【００３０】
なお、上記クリーニングローラ体の外径の大小は、該クリーニングローラ体に内設する粘着ロール体の径の大小に関係し、該粘着ロール体の巻き軸の径を小さくすることで、粘着シートがより多く巻き取れ、その巻き数により粘着ロール体の径が選ばれ、よってクリーニングローラ体の外径もそれに合わせて決めることができる。
【００３１】
しかして、第２の解決手段の、引出粘着シートとクリーニングローラ体周面との間に緩衝部が形成できるように、該クリーニングローラ体周面上に緩衝凸部を所定間隔で突出形成したことにより、
クリーニングローラ体周面と引出粘着シートとの間の緩衝部にて引出粘着シートの粘着面とクリーニング対象物を密着させることで、フローリングなどの表面ゴミ、例えば砂粒などによる引出粘着シートとの浮き上がりを解消させて、その砂粒など周辺のゴミも確実に粘着させることができ、また粘着クリーニング対象物の凹凸にも対応して粘着除去することができる。
【００３２】
しかして、第３の解決手段の、前記クリーニングローラ体周面に巻回付装する引出粘着シートが緩まないように、繰出し口近傍で引出粘着シートの基端及び先端部を保持部材で保持させたことにより、
クリーニング対象物が床など粘着しやすい場所では、引出粘着シートがクリーニング対象物に粘着して引っ張られることで緩み、該引出粘着シートが緩むと粘着除去の障害となり、よって引出粘着シートを保持部材で保持することで、常に、該引出粘着シートをクリーニングローラ体周面に張力を持って付装させ、特に、粘着しやすい板材等の床面の粘着クリーニングでも緩むことが無く、効率よくクリーニングできる。
【００３３】
しかして、第４の解決手段の、該引出粘着シートの先端側に位置する保持部材の端部に該引出粘着シートを切断する切断刃を設けたことにより、
該引出粘着シートでゴミなどを粘着させて汚れたとき、保持部材での保持を解除すると共に繰出し口から新しい粘着シートをクリーニングローラ体周面に引き出して保持部材で保持すると共に切断刃で、該汚れたシート部を保持させた状態で切断、切り取り除去することで、該汚れたシート部を容易に除去することができるので更新が容易で、また従来のように切り取りに失敗して無駄をすることなく、粘着シートを無駄なく使用できる。
【００３４】
しかして、第５の解決手段の、繰出し口からクリーニングローラ体周面の所定位置まで粘着シート巾と略同幅の要部を角取り支持部材とし、クリーニングローラ体周面に巻回付装した該引出粘着シートを、該クリーニングローラ体周面より該角取り支持部材を介して突出できるように、該角取り支持部材を、支軸を介して回動させて該突出可能に設けたことにより、
従来、不可能であった室内など壁面立ち上がりの角部近傍の床の汚れを、角取り支持部材を介してクリーニングローラ体周面より突出させた該引出粘着シートで、該角部近傍の床ゴミの汚れを容易に粘着除去できる。
よって、本発明は、一般的な粘着ローラ及び先行技術を飛躍させて利便性を高め、また構成を簡素化したことにより実用上著大な効果を奏する。
【図面の簡単な説明】
【００３５】
【図１】本発明の第一実施例の一部省略した側面図である。
【図２】本発明の使用状態を示す要部の側面断面図である。
【図３】本発明の一部省略した平面図である。
【図４】本発明の図３の矢視Ａ−Ａ線断面図である。
【図５】本発明の要部の側面断面図である。
【図６】本発明の引出粘着シートの配置を示す側面の想像図である。
【図７】本発明の引出粘着シートの切断状態を示す正面要部の想像図である。
【図８】本発明の第二実施例の要部の側面断面図である。
【発明を実施するための最良の形態】
【００３６】
本発明の第１の実施例は、ハンドルに設けられた支軸で左右に側板を有する筒状のクリーニングローラ体の軸心を回動可能に枢着した粘着ローラクリーナにおいて、粘着シートを巻回した粘着ロール体を該クリーニングローラ体の側板間で回動可能に内設枢着すると共に該粘着ロール体から該粘着シートをクリーニングローラ体周面に引き出せるように、該クリーニングローラ体周面に粘着シートの繰出し口を該粘着シート巾に開設して該繰出し口より、該粘着シートを引出粘着シートとして引き出してクリーニングローラ体周面に周回付装すると共に該引出粘着シートを保持部材で保持させた構成により、
クリーニングローラ体周面の引出粘着シートの粘着部でゴミを粘着除去し、該引出粘着シートの粘着部の粘着がゴミで弱くなると、保持部材で保持された引出粘着シートの保持を解除すると共に新しい粘着面を一定量引き出して更新することで連続使用する粘着ローラクリーナを実現している。
【００３７】
また、第２の実施例は、引出粘着シートとクリーニングローラ体周面との間に緩衝部が形成できるように、クリーニングローラ体周面に緩衝凸部を所定間隔で突出形成した構成により、
床などの汚れを粘着除去するときのその床及びゴミなどによる凹凸を、緩衝凸部で吸収させることで、クリーニング対象物のゴミに引出粘着シートが粘着しやすくして、効率よくクリーニングするのを実現している。
【００３８】
さらに、第３の実施例は、前記クリーニングローラ体周面に巻回付装する引出粘着シートが緩まないように、繰出し口近傍で引出粘着シートの基端及び先端部を保持部材で保持させた構成により、
床などの汚れを粘着除去するとき、クリーニング対象物に粘着して引出粘着シートが引っ張られて緩むのを防止し、特に、粘着しやすい板材等の床面も緩むことなく、効率よくクリーニングするのを実現している。
【００３９】
加えて、第４の実施例は、前記引出粘着シートの先端側に位置する保持部材の端部に該引出粘着シートを切断する切断刃を設けた構成により、
保持部材で引出粘着シートを保持させると共に切断刃で、汚れた引出粘着シートを保持させた状態で切断できるので、更新が容易な粘着ローラクリーナを実現している。
【００４０】
さらに加えて、第５の実施例は、繰出し口からクリーニングローラ体周面の所定位置まで粘着シート巾と略同幅の要部を角取り支持部材とし、該角取り支持部材を、支軸を介して回動させて該突出可能に設けた構成により、
角取り支持部材を介してクリーニングローラ体周面より突出した該引出粘着シートで、室内など壁面立ち上がりの角部近傍の床ゴミを粘着除去する粘着ローラクリーナを実現している。
【実施例】
【００４１】
本発明の第１実施例を図面に基づいて説明すると、図１及び図３において、１は粘着ローラクリーナで、該粘着ローラクリーナ１は、クリーニングローラ体２と、粘着シート３が巻き軸４に巻き取られた粘着ロール体５と、該粘着ロール体５から粘着シート３が引き出された引出粘着シート６をクリーニングローラ体２表面に付装すると共に保持部本体７で引出粘着シート６の先端６ａ及び基端６ｂを押圧保持し、該粘着ロール体５は該クリーニングローラ体２内に内設すると共に左右の側板８，８に設けられた該クリーニングローラ体２の軸心を、ハンドル９に設けられる支軸１０で回動可能に枢着している。
【００４２】
そこで、該クリーニングローラ体２は、図１及び図３に示すように、筒状で両側面の側板８，８にハンドル９の支軸１０を枢着し、そして粘着ロール体５の巻き軸４を回動可能に支持できるように、該クリーニングローラ体２内で対面する両側板８，８にそれぞれロール体軸受１１，１１を設け、また該クリーニングローラ体２の周面の縦方向に、引出粘着シート６を繰り出す繰出し口１２を開設している。
【００４３】
また、該繰出し口１２は、図３及び図４に示すように、クリーニングローラ体２内で回動支持される粘着ロール体５の粘着シート３巾で開設され、また該繰出し口１２の全体を塞ぐように保持部本体７が設けられる。
【００４４】
そこで、該保持部本体７は、板状の保持部７ａと、該保持部７ａの、引出粘着シートの繰出し方向側に切断刃１３を設けると共にその左右端側に回動支持部１４，１４を設けて、図３に示すように平面略コの字状に形成され、該保持部本体７の回動支持部１４，１４を介して上記クリーニングローラ体２の側板８，８に、止め具支軸１５，１５により回動可能に保持して、該保持部本体７を回動させて起立させると、略門状部が形成され、該略門状の中を引出粘着シート６が通過可能なように設けている。なお、図中７ｂは保持部本体７の補強用のリブである。
【００４５】
そして、該保持部本体７の回動支持部１４，１４は、その内側にそれぞれ突出する回動止め部１６，１６を突設させ、図７に示すように該回動止め部１６，１６に対応する係止部１７，１７をクリーニングローラ体２の側板８，８に突設してその双方で保持部本体７の回動を止めて、引出粘着シート６の先端６ａ及び基端６ｂを押圧保持する。
【００４６】
また、図３、図４及び図５に示すように、該クリーニングローラ体２の外周面に、緩衝凸部１８，１８，…を周回方向に対して横方向に所定間隔で多数突出形成し、クリーニングローラ体２の周面と引出粘着シート６との間に所定隙間の緩衝部１８ａ，１８ａ，…を形成して、図２に示すように、クリーニング対象物１９のフローリング等の凹凸及び表面ゴミ２０の、例えば硬い砂粒などによるクリーニングローラ体２の浮き上がりを解消させ、クリーニング対象物１９と引出粘着シート６の粘着面２１を密着させることで接触面を広くしている。
【００４７】
なお、緩衝凸部１８，１８，…を周回方向に対して横方向に形成するとしているが、周回方向に所定間隔を持って形成しても良く、特に緩衝凸部１８，１８，…の形成方向及び突出量とその長さには拘らず、要は、クリーニングローラ体２の周面と引出粘着シート６との間に所定隙間の緩衝部が形成できれば良い。
【００４８】
しかして、粘着ロール体５の粘着シート３を引き出して引出粘着シート６を付装するその経路及びその各関連する配置は、図４及び図６に示す粘着ロール体５の粘着シート３を引き出すと共に繰出し口１３よりクリーニングローラ体２の周面へ該引出粘着シート６の粘着面２１を表側にして周回させて付装し、図５及び図６に示すように、該引出粘着シート６の先端６ａを、繰出し口１２の該引出粘着シート６の基端６ｂに重ねるようにして保持部本体７の保持部７ａで保持されている。
【００４９】
しかして、粘着ローラクリーナ１を使用するときの前準備として、図3及び図4に示すように、予め市販の粘着ロール体５を、クリーニングローラ体２内のロール軸受１１，１１に回動可能に支持させる。
【００５０】
そして、該粘着ロール体５の粘着シート３を繰出し口１２より引き出してクリーニングローラ体２の周面へ引出粘着シート６として粘着面２１を表側に周回させて付装すると共に引出粘着シート６の先端６ａを、保持部本体７を起こして略門状部の状態の中を挿通させて引き出し、該先端６ａを繰出し口１２の該引出粘着シート６の基端６ｂに重ねるようにすると共に該保持部本体７を回動させて保持部７ａで双方を押圧保持させ、そのことで引出粘着シート６の粘着面２１がクリーニングローラ体２の周面に付装されて粘着クリーニングする準備が完了する。
【００５１】
上述のように準備できた粘着ローラクリーナ１でクリーニング対象物１９の絨毯上、ソファーなどのゴミを粘着除去するとき、図１に示すように、まずハンドル９を持って粘着ローラクリーナ１のクリーニングローラ体２を該クリーニング対象物１９の絨毯上、ソファーなどの上を転がすように、矢印の方向へ前後移動させると、図２に示すように引出粘着シート６の粘着面２１が表面ゴミ２０を粘着除去する。
【００５２】
そして、その粘着除去するとき、図２に示すように、クリーニング対象物１９のフローリング等の凹凸または表面ゴミ２０で例えば硬い砂粒などがあると、クリーニングローラ体２がその分持ち上がり、クリーニング対象物１９と引出粘着シート６の粘着面２１の密着が少なくなり、そのことにより粘着効率が落ちるため、該フローリング等の凹凸または表面ゴミ２０による持ち上がりを防ぐ必要があり、緩衝部１８ａ，１８ａ，…を設けて浮き上がりを解消させて粘着効率を上げている。
【００５３】
また、ゴミを粘着除去して該粘着面２１が表面ゴミ２０で汚れて粘着が悪くなると、図４に示すように、保持部本体７を起こすように回動させ、その回動させるとき、図７に示す保持部本体７の回動支持部１４，１４に突設された回動止め部１６，１６が、クリーニングローラ体２の側板８，８に突設された係止部１７，１７を乗り越え回動起立させ、その回動止め部１６，１６及び係止部１７，１７の乗り越えで、その止めまたは回動起立を可能としている。
【００５４】
そして、図４に示すように該保持部本体７を回動起立させて引出粘着シート６の先端６ａを保持部７ａの押圧保持から解除して、保持部本体７の起立で形成される略門状の中を、引出粘着シート６の該先端６ａを引き上げて、クリーニングローラ体２周面に付装されていた、汚れて粘着を失った部分６ｃを引き出し、そのことにより粘着ロール体５から粘着シート３が繰出し口１２を介して新しく引出粘着シート６として繰り出され、新たな引出粘着シート６がクリーニングローラ体２周面に付装される。
【００５５】
その状態で、保持部本体７をそれとは逆に寝かせて、該引出粘着シート６の先端６ａを基端６ｂに重設して保持部本体７の保持部７ａで押圧保持させた後、図７に示すように引出粘着シート６の、汚れて粘着を失った部分６ｃを切断刃１３で切り取ることで、クリーニングローラ体２周面の引出粘着シート６が更新され、よって該粘着ローラクリーナ１の粘着面２１が更新されて連続して粘着クリーニングできる。
【００５６】
なお、該保持部本体７の保持部７ａの保持する機能は、上記したように粘着ローラクリーナ１で、絨毯、ソファーなどのゴミ２０を粘着除去するとき、クリーニングローラ体２の周面に装着される引出粘着シート６の粘着面２１が、クリーニング対象物１９の絨毯、ソファーなどに粘着し、その粘着力で該引出粘着シート６が引っ張られることにより該引出粘着シート６が緩み、その緩みで粘着面２１同士が粘着したり皺になったりするとゴミに粘着しづらくなり、そのことからクリーニング効率を下げる緩みを防止するものである。
【００５７】
しかして、第２実施例は、室内など壁面立ち上がり角部近傍の床面ゴミを粘着除去できるように、引出粘着シート６をクリーニングローラ体２の周面より突出させて粘着除去する実施例で、図８に示すように、クリーニングローラ体２の前記繰出し口１２から所定量の一片部分を、角取り支持部材２２として形成し、該角取り支持部材２２を支軸２３を介して回動可能に支持して、該角取り支持部材２２で引出粘着シート６をクリーニングローラ体２の周面より突出させる。
【００５８】
また、その周面よりの突出は、角取り支持部材２２を回動状に起立させ、その所定量の起立が該クリーニングローラ体２から突出する引出粘着シート６の突出量として、上記室内など壁面立ち上がりの角部近傍に対応し、該回動角取り支持部材２２は粘着シート３の巾と略同幅で形成される。
【００５９】
そして、室内など壁面立ち上がりと床面の角の死角部分近傍の床面ゴミを粘着除去するときは、該回動角取り支持部材２２を介して引出粘着シート６をクリーニングローラ体２の周面より突出させて、該突出する該引出粘着シート６の先端の先細部分で、該室内など壁面と床面の角部のゴミを粘着除去し、終わると上述したように通常の状態に戻して使用する。
【産業上の利用可能性】
【００６０】
本発明の粘着ローラクリーナ１は、クッション、ソファーなど狭い範囲と、絨毯など床面の広い範囲と、またそれら壁面など立ち上がりの角部近傍の床面ゴミを粘着除去する粘着ローラクリーナとして利用することができる。
【符号の説明】
【００６１】
１  粘着ローラクリーナ
２  クリーニングローラ体
３  粘着シート
４  巻き軸
５  粘着ロール体
６  引出粘着シート
７  保持部本体
８  側板
９  ハンドル
１０  支軸
１２  繰出し口
１３  切断刃
１８  緩衝凸部
１８ａ  緩衝部
２１  粘着面
２２  角取り支持部材。
【図１】
2015000187.tif 000003
【図２】
2015000187.tif 000004
【図３】
2015000187.tif 000005
【図４】
2015000187.tif 000006
【図５】
2015000187.tif 000007
【図６】
2015000187.tif 000008
【図７】
2015000187.tif 000009
【図８】
2015000187.tif 000010